(57)【特許請求の範囲】
【請求項１】
外部機器に対しての第１のアスペクト比の画像データを出力するためのデータ処理を行う第１の画像データ出力処理部と、
機器本体に設けられ第２のアスペクト比の表示パネルを備える表示部と、
上記表示部に対しての第２のアスペクト比の画像データを出力するためのデータ処理を行う第２の画像データ出力処理部と、
表示出力対象とする元画像データのアスペクト比と、上記第１のアスペクト比との関係に応じた画像変換処理を行って上記第１のアスペクト比の画像データを生成し、上記第１の画像データ出力処理部に供給すると共に、上記元画像データのアスペクト比と、上記第２のアスペクト比との関係に応じ、かつ上記元画像データの画像内容の全てを含むようにする画像変換処理を行い、上記元画像データの画像内容の全てを含んだ状態で上記第２のアスペクト比となる画像データを生成して上記第２の画像データ出力処理部に供給する画像変換処理部とを備え、
上記画像変換処理部は、
上記第１のアスペクト比の画像データの生成のための画像変換処理において元画像データの画像内容の一部の切り出し処理を行う場合には、
上記第２のアスペクト比の画像データを生成する画像変換処理では、上記第２のアスペクト比の画像データとして、上記第１のアスペクト比の画像データにおいて上記切り出し処理によって棄てられた画像内容部分を提示する画像データを生成し、
操作入力に応じてワイドズームモードが設定されるとともに、
上記画像変換処理部は、ワイドズームモードとされている際の画像変換処理として、元画像のアスペクト比と上記第１のアスペクト比との関係に応じて、上記切り出し処理を実行し、
ワイドズームモードとされている際には、上記元画像データの回転情報を確認し、画像の回転角度が所定の角度の場合に、元画像のアスペクト比と上記第１のアスペクト比との関係に応じて、上記切り出し処理を実行する画像出力装置。
【請求項２】
上記棄てられた画像内容部分を提示する画像データとは、上記棄てられた画像内容部分をハーフトーン表示する画像データである請求項１に記載の画像出力装置。
【請求項３】
記録媒体から画像データを読み出す読出部をさらに備え、
表示出力対象とする上記元画像データとは、上記読出部によって記録媒体から読み出された画像データである請求項１に記載の画像出力装置。
【請求項４】
外部機器に対しての第１のアスペクト比の画像データを出力するとともに、表示部に対しての第２のアスペクト比の画像データを出力する画像出力装置の画像出力方法として、
表示出力対象とする元画像データのアスペクト比と、上記第１のアスペクト比との関係に応じた画像変換処理を行って上記第１のアスペクト比の画像データを生成し、出力するステップと、
上記元画像データのアスペクト比と、上記第２のアスペクト比との関係に応じ、かつ上記元画像データの画像内容の全てを含むようにする画像変換処理を行い、上記元画像データの画像内容の全てを含んだ状態で上記第２のアスペクト比となる画像データを生成して出力するステップと、
上記第１のアスペクト比の画像データの生成のための画像変換処理において元画像データの画像内容の一部の切り出し処理を行う場合には、上記第２のアスペクト比の画像データを生成する画像変換処理では、上記第２のアスペクト比の画像データとして、上記第１のアスペクト比の画像データにおいて上記切り出し処理によって棄てられた画像内容部分を提示する画像データを生成して出力するステップと、
操作入力に応じてワイドズームモードが設定されるとともに、上記画像変換処理部は、ワイドズームモードとされている際の画像変換処理として、元画像のアスペクト比と上記第１のアスペクト比との関係に応じて、上記切り出し処理を実行して出力するステップと、
ワイドズームモードとされている際には、上記元画像データの回転情報を確認し、画像の回転角度が所定の角度の場合に、元画像のアスペクト比と上記第１のアスペクト比との関係に応じて、上記切り出し処理を実行して出力するステップと、
を備える画像出力方法。
【請求項５】
外部機器に対しての第１のアスペクト比の画像データを出力するとともに、表示部に対しての第２のアスペクト比の画像データを出力する画像出力装置の動作を制御するプログラムとして、
表示出力対象とする元画像データのアスペクト比と、上記第１のアスペクト比との関係に応じた画像変換処理を行って上記第１のアスペクト比の画像データを生成し、出力する処理の制御ステップと、
上記元画像データのアスペクト比と、上記第２のアスペクト比との関係に応じ、かつ上記元画像データの画像内容の全てを含むようにする画像変換処理を行い、上記元画像データの画像内容の全てを含んだ状態で上記第２のアスペクト比となる画像データを生成して出力する処理の制御ステップと、
上記第１のアスペクト比の画像データの生成のための画像変換処理において元画像データの画像内容の一部の切り出し処理を行う場合には、上記第２のアスペクト比の画像データを生成する画像変換処理では、上記第２のアスペクト比の画像データとして、上記第１のアスペクト比の画像データにおいて上記切り出し処理によって棄てられた画像内容部分を提示する画像データを生成して出力する処理の制御ステップと、
操作入力に応じてワイドズームモードが設定されるとともに、上記画像変換処理部は、ワイドズームモードとされている際の画像変換処理として、元画像のアスペクト比と上記第１のアスペクト比との関係に応じて、上記切り出し処理を実行して出力する処理の制御ステップと、
ワイドズームモードとされている際には、上記元画像データの回転情報を確認し、画像の回転角度が所定の角度の場合に、元画像のアスペクト比と上記第１のアスペクト比との関係に応じて、上記切り出し処理を実行して出力する処理の制御ステップと、
を画像出力装置の制御部に実行させるプログラム。
【発明の詳細な説明】
【技術分野】
【０００１】
本発明は画像出力装置、画像出力方法、プログラムに関し、特に本体に表示パネルを有するとともに、外部機器での表示のために画像信号を出力できるようにされている機器に関する。
【背景技術】
【０００２】
【特許文献１】特開２００５−１０９９２７号公報
【特許文献２】特開２００７−９６７７４号公報
【特許文献３】特開２００６−２１５３２０号公報
【０００３】
現在、例えばテレビジョン受像器やモニタディスプレイ装置などとして、アスペクト比（画像の横：縦の比）が１６：９の映像信号に適した１６：９型の表示パネル（以下「ハイビジョンパネル」という）を備えた表示装置が普及している。
それに伴い、ハイビジョンパネルにデジタルスチルカメラなどで撮像された画像を表示させて楽しむという使用態様も広く行われている。
【０００４】
但し、デジタルスチルカメラなどで撮像された画像としては、多様なアスペクト比の画像が混在していることが多く、アスペクト比が１６：９以外の画像の場合、ハイビジョンパネル機器に出力する画像信号としては、１６：９のアスペクト比に適合した画像信号への変換処理が必要となる。
【０００５】
このようなアスペクト比に応じた変換処理は、従来より各種機器で行われている。例えばハイビジョンパネルを有するテレビジョン受像器において受信した映像信号のアスペクト比が４：３である場合は、そのアスペクト比４：３の画像信号から、アスペクト比１６：９のハイビジョン映像信号を生成して表示出力している。
このような場合の従来の映像変換手法を図１３，図１４に示す。
図１３（ａ）は、アスペクト比４：３の元の画像データである。この元画像データから、ハイビジョンパネルに出力する映像信号を生成する場合は、図１３（ｂ）のように、４：３の元画像を１６：９の大きさに変倍し、さらに変倍された画像の左右に黒帯ＢＢを付けるという手法がある。
また、図１３（ｃ）の元画像から図１３（ｄ）で示すように、４：３画像を１６：９に水平方向に伸ばして変倍する変換方法もある。
さらに図１４に示す手法も知られている。この場合、図１４（ａ）の４：３の元の画像について、１６：９の比率となる一部を切出し、これを拡大して、図１４（ｃ）のように１６：９のパネルに出力する。
なお、この場合、図１４（ｂ）において斜線部として示す画像内容はパネル表示されないものとなる。つまり画像内容の一部が破棄されて表示される。
【０００６】
これらの手法はそれぞれ長短がある。
図１３（ｂ）の表示では、画像自体の変形や画像内容の一部破棄はないが、黒帯ＢＢによって違和感を感じたり、ハイビジョンパネル全体が有効利用されないとうことがある。
図１３（ｄ）の表示では、黒帯による短所はないが、画像が横方向に変形してしまう。
図１４（ｃ）の場合は、ハイビジョンパネル全体を有効利用し、また画像の変形もないが、画像内容の一部が棄てられてしまう（表示されない）。
【発明の開示】
【発明が解決しようとする課題】
【０００７】
例えば上述のようにデジタルスチルカメラで撮像した画像データを、ハイビジョンパネルで楽しむという使用形態を考えた場合に、撮像した画像データとして多様なアスペクト比の画像データが存在すること考慮すれば、上記図１３，図１４のような手法を利用することで、元の画像データ（撮像画像データ）から１６：９の画像信号を生成すればよい。
但し上述のように、各処理手法のそれぞれにおいて長短があるため、複数の手法をユーザが好みに応じて切り換えることができるようにするとよい。
例えばワイドズームモードをオン（入）／オフ（切）できるようにし、これによって図１３（ｂ）の処理と、図１４の処理が切り換えられるようにするなどである。即ちワイドズームモードとした場合は、図１４のように元画像からの画像の切出し及び拡大を行って１６：９の画像信号としてハイビジョンパネル機器に供給することで、黒帯ＢＢの無い画像表示を行うが、ワイドズームモードをオフとした場合は、図１３（ｂ）のように、変倍処理と黒帯付加処理を行って、黒帯ＢＢを付加した表示を行うようにする。
【０００８】
その一方で、ユーザにとっては、常に元の画像の全体を確認したいという要望もある。例えば図１４のように元の画像の一部の切出しが行われて１６：９の画像信号が生成されるような場合、切出し部分以外の棄てられた部分の画像は表示されない。特にユーザが自分でデジタルスチルカメラで撮像した画像をハイビジョンパネル機器を使用して見ているような場合、ワイドズームモードの画像と同時に、元の画像全体を見たいという要望もある。
【０００９】
そこで本発明は、例えばデジタルスチルカメラのように、本体に表示パネルを有するとともに、外部機器での表示のために画像信号を出力できるようにされている機器において、
ユーザに対して好適な画像出力を行うことができるようにすること、特にはハイビジョンパネル機器等での画像表示出力を行っている際に、常に画像内容の全体をユーザが確認できるようにすることを目的とする。
【課題を解決するための手段】
【００１０】
本発明の画像出力装置は、外部機器に対しての第１のアスペクト比の画像データを出力するためのデータ処理を行う第１の画像データ出力処理部と、機器本体に設けられ第２のアスペクト比の表示パネルを備える表示部と、上記表示部に対しての第２のアスペクト比の画像データを出力するためのデータ処理を行う第２の画像データ出力処理部と、表示出力対象とする元画像データのアスペクト比と、上記第１のアスペクト比との関係に応じた画像変換処理を行って上記第１のアスペクト比の画像データを生成し、上記第１の画像データ出力処理部に供給すると共に、上記元画像データのアスペクト比と、上記第２のアスペクト比との関係に応じ、かつ上記元画像データの画像内容の全てを含むようにする画像変換処理を行い、上記元画像データの画像内容の全てを含んだ状態で上記第２のアスペクト比となる画像データを生成して上記第２の画像データ出力処理部に供給する画像変換処理部とを備え、上記画像変換処理部は、上記第１のアスペクト比の画像データの生成のための画像変換処理において元画像データの画像内容の一部の切り出し処理を行う場合には、上記第２のアスペクト比の画像データを生成する画像変換処理では、上記第２のアスペクト比の画像データとして、上記第１のアスペクト比の画像データにおいて上記切り出し処理によって棄てられた画像内容部分を提示する画像データを生成し、操作入力に応じてワイドズームモードが設定されるとともに、上記画像変換処理部は、ワイドズームモードとされている際の画像変換処理として、元画像のアスペクト比と上記第１のアスペクト比との関係に応じて、上記切り出し処理を実行し、ワイドズームモードとされている際には、上記元画像データの回転情報を確認し、画像の回転角度が所定の角度の場合に、元画像のアスペクト比と上記第１のアスペクト比との関係に応じて、上記切り出し処理を実行する。
【００１１】
また、上記画像変換処理部は、上記棄てられた画像内容部分を提示する画像データとは、上記棄てられた画像内容部分をハーフトーン表示する画像データである。
また、記録媒体から画像データを読み出す読出部をさらに備える。そして表示出力対象とする上記元画像データとは、上記読出部によって記録媒体から読み出された画像データである。
【００１３】
本発明の画像出力方法は、外部機器に対しての第１のアスペクト比の画像データを出力するとともに、表示部に対しての第２のアスペクト比の画像データを出力する画像出力装置の画像出力方法として、表示出力対象とする元画像データのアスペクト比と、上記第１のアスペクト比との関係に応じた画像変換処理を行って上記第１のアスペクト比の画像データを生成し、出力するステップと、上記元画像データのアスペクト比と、上記第２のアスペクト比との関係に応じ、かつ上記元画像データの画像内容の全てを含むようにする画像変換処理を行い、上記元画像データの画像内容の全てを含んだ状態で上記第２のアスペクト比となる画像データを生成して出力するステップと、上記第１のアスペクト比の画像データの生成のための画像変換処理において元画像データの画像内容の一部の切り出し処理を行う場合には、上記第２のアスペクト比の画像データを生成する画像変換処理では、上記第２のアスペクト比の画像データとして、上記第１のアスペクト比の画像データにおいて上記切り出し処理によって棄てられた画像内容部分を提示する画像データを生成して出力するステップと、操作入力に応じてワイドズームモードが設定されるとともに、上記画像変換処理部は、ワイドズームモードとされている際の画像変換処理として、元画像のアスペクト比と上記第１のアスペクト比との関係に応じて、上記切り出し処理を実行して出力するステップと、ワイドズームモードとされている際には、上記元画像データの回転情報を確認し、画像の回転角度が所定の角度の場合に、元画像のアスペクト比と上記第１のアスペクト比との関係に応じて、上記切り出し処理を実行して出力するステップとを備える。
【００１４】
これらの本発明においては、外部機器である例えばハイビジョンパネル機器に第１のアスペクト比（例えば１６：９）の画像データを出力するために、元画像データとのアスペクト比との関係に応じて必要な画像変換処理を行って出力する画像信号を生成するが、本体に設けられている表示部に対しては、常に元画像データの画像内容の全てを含むようにする画像データを生成して表示出力させる。
つまり、外部機器に出力する画像データと、本体の表示部側での表示に用いる画像データをそれぞれ別の画像変換処理により生成する。
【発明の効果】
【００１５】
本発明によれば、画像データの表示出力の際に、ハイビジョンパネル機器等の外部機器での表示を楽しみながら、本体の表示部側では、常に元画像データの画像内容全体を確認できるようになり、ユーザにとって好適な画像出力を実現できる。
また、特に本体の表示部側でハーフトーン表示などで、外部機器側では表示されない画像部分を提示することで、ユーザにとって外部機器での画像表示の状態がわかりやすいものとなる。
【発明を実施するための最良の形態】
【００１６】
以下、本発明の実施の形態を次の順序で説明する。なお、本発明の画像出力装置の実施の形態としてデジタルスチルカメラ１を挙げる。
［１．デジタルスチルカメラの構成］
［２．画像出力のための構成及び動作］
［３．操作に応じた画像出力］
［４．実施の形態の効果及び変形例］
【００１７】
［１．デジタルスチルカメラの構成］
図１は、本実施の形態のデジタルスチルカメラ１と、このデジタルスチルカメラ１に関連する機器としてのハイビジョンパネル機器２、クレードル３、リモートコントローラ４、メモリカード６を示している。
【００１８】
デジタルスチルカメラ１は、ユーザが携帯して静止画等の画像撮像を行う機器である。メモリカード６は、このデジタルスチルカメラ１に装填することのできる可搬性記録媒体の一例として示している。メモリカード６は、デジタルスチルカメラ１内に装填されている状態において、デジタルスチルカメラ１で撮像された画像データの保存に用いられる。
デジタルスチルカメラ１には、例えばその本体において、液晶パネル、或いは有機ＥＬ（Electroluminescence）パネルなどを用いた表示部１７が設けられている。この場合、この表示部１７はアスペクト比４：３の画面構造であるとする。
またデジタルスチルカメラ１には、ユーザの各種操作のために各種の操作子１８ａが設けられている。
【００１９】
ハイビジョンパネル機器２は、例えばテレビジョン受像器やハイビジョンモニタ装置などである。このハイビジョンパネル機器２は、アスペクト比１６：９の画面で画像表示を行う機器とする。
【００２０】
クレードル３は、デジタルスチルカメラ１とハイビジョンパネル機器２を接続するための補助的な機器である。このクレードル３は、デジタルスチルカメラ１を載置することができるとともに、ケーブル５によってハイビジョンパネル機器２と接続される。ケーブル５は、クレードル３の画像信号出力端子と、ハイビジョンパネル機器２の画像信号入力端子の間を接続する。
デジタルスチルカメラ１をクレードル３に載置すると、図示しないコネクタ端子構造により、デジタルスチルカメラ１の画像信号出力（例えばＨＤＭＩ（High Definition Multimedia Interface）方式の画像出力、或いはコンポーネント画像信号出力等）がクレードル３及びケーブル５を介して、ハイビジョンパネル機器２に供給される状態となる。
【００２１】
リモートコントローラ４は、デジタルスチルカメラ１に対しての各種操作入力を行うために用いられる。リモートコントローラ４には、多数の操作キーが配列され、ユーザが操作キーを押すことに応じて、それぞれ所定の操作コマンド信号を赤外線変調信号として出力する。
この赤外線による操作コマンド信号を受信するために、クレードル３には赤外線受光部３２が設けられている。赤外線受光部３２で受光された赤外線変調信号は、電気信号に変換され、復調処理されて、クレードル３に載置されているデジタルスチルカメラ１に伝えられる。
リモートコントローラ４の操作キーとしては各種の操作キーが用意されているが、例えば拡大して示すように、ワイドズームモードの操作を行うためのワイドズームキー４ａや、再生出力する画像の送りを指示する送りキー４ｂなどが設けられる。これらの操作に応じた表示動作については後述する。
【００２２】
図２に、デジタルスチルカメラ１及びクレードル３の内部構成例を示す。
デジタルスチルカメラ１は、コントローラ１１、メモリ部１２、記録再生部１３、撮像部１４、信号処理部１５、表示制御部１６、表示部１７、操作部１８、クレードル接続部１９を有する。
【００２３】
コントローラ１１は、例えばＣＰＵ（Central Processing Unit）、ＲＯＭ（Read Only Memory）、ＲＡＭ（Random Access Memory）、不揮発性メモリ部、インターフェース部を備えたマイクロコンピュータにより構成され、デジタルスチルカメラ１に全体を制御する制御部とされる。
このコントローラ１１は内部のＲＯＭ等に保持したプログラムに基づいて、各種演算処理や各部と制御信号等のやりとりを行い、各部に所要の動作を実行させる。
【００２４】
メモリ部１２は、ＲＡＭ領域、不揮発性メモリ領域などを有するものとして示している。例えばＲＡＭ領域は各種画像処理に用いるワークＲＡＭとしての用いられる。後述する画像出力動作の際の処理過程の画像データなどの保存等がメモリ部１２において行われる。
メモリ部１２の不揮発性メモリ領域は、例えば撮像画像データの保存や各種設定状態の記憶などに用いられる。
【００２５】
撮像部１４は、撮像光学系、撮像素子部、撮像信号処理部等を有する。
撮像部１４における撮像光学系とは、撮像レンズ、絞り、ズームレンズ、フォーカスレンズなどを備えて構成されるレンズ系である。またレンズ系に対してフォーカス動作やズーム動作を行わせるための駆動系等が備えられる。
また撮像部１４における撮像素子部としては、撮像光学系で得られる撮像光を検出し、光電変換を行うことで撮像信号を生成する固体撮像素子アレイが設けられる。固体撮像素子アレイは、例えばＣＣＤ（Charge Coupled Device）センサアレイや、ＣＭＯＳ（Complementary Metal Oxide Semiconductor）センサアレイとされる。
また撮像部１４における撮像信号処理部では、固体撮像素子によって得られる信号に対するゲイン調整や波形整形を行うサンプルホールド／ＡＧＣ(Automatic Gain Control)回路や、ビデオＡ／Ｄコンバータを備え、デジタルデータとしての撮像画像データを得る。また撮像画像データに対してホワイトバランス処理、輝度処理、色信号処理などを行う。
【００２６】
これらの撮像光学系、撮像素子部、撮像信号処理部を有する撮像部１４により、撮像が行われ、撮像画像データが得られる。
ユーザが撮像操作を行った際に、この撮像部１４の撮像動作によって得られた画像データは、コントローラ１１による制御に基づいて記録再生部１３に装填されているメモリカード６に記録されたり、或いはメモリ部１２における不揮発性メモリ領域に記録される。
【００２７】
記録再生部１３は、コントローラ１１による制御に基づいて、メモリカード６に対するデータの書込／読出や、書込／読出に必要なエンコード／デコードを行う。例えば上記のように撮像時に、撮像部１４で得られた撮像画像データが供給される場合、記録再生部１３は、その撮像画像データについて例えばＥＸＩＦ（Exchangeable Image File Format）方式のエンコード処理を行ってメモリカード６に画像ファイルとして記録する。
またメモリカード６からの画像ファイルの読出を行う場合、メモリカード６からＥＸＩＦ形式のファイルデータを読み出し、デコード処理を行って例えばＪＰＥＧ（Joint Photographic Experts Group）方式などの画像データを出力する。
なお、記録再生部１３は、フラッシュメモリを内蔵した可搬性のメディアであるメモリカード６に対応するものとして示しているが、例えば光ディスク、光磁気ディスク、ホログラムメモリなどの記録媒体に対応する記録再生ドライブなどとされても良い。さらにはＨＤＤ（Hard Disk Drive）などとして構成されてもよい。
【００２８】
信号処理部１５は、画像データについての各種の変換処理を行う。例えばＪＰＥＧエンコード／デコード、画像の拡大／縮小処理、切り出し処理、画角変換、解像率変換、出力用エンコードなどを行う。本例の場合、後述するように画像出力の際に必要な処理が、この信号処理部１５で行われる。
【００２９】
デジタルスチルカメラ１においてユーザに対して表示を行う構成としては、表示部１７、表示制御部１６が設けられる。
表示部１７には、上述したように４：３の画面構造を持つ表示パネルと、該表示パネルを表示駆動する表示駆動部が設けられる。表示駆動部は、供給される画像データを表示パネルに表示させるための画素駆動回路で構成されている。画素駆動回路は表示パネルにおいてマトリクス状に配置されている各画素について、それぞれ所定の水平／垂直駆動タイミングで映像信号に基づく駆動信号を印加し、表示を実行させる。
表示制御部１６は、コントローラ１１の制御に基づいて、表示部１７における画素駆動回路を駆動し所定の表示を実行させる。例えば撮像部１４で撮像された画像のモニタ表示や、後述する画像出力の際の表示などを実行させる。
【００３０】
操作部１８は、例えば図１に示したように各種キー１８ａや、ボタン、ダイヤル等の操作子を有する。例えば電源オン／オフ操作や、シャッタ操作、ズームの操作、露出の設定操作など、カメラ操作として必要な操作子が形成される。
またリモートコントローラ４での操作と同様に、画像出力の際のワイドズームモード操作や画像送り操作などのための操作子も設けられる。
操作部１８では、このような操作子から得られる操作情報をコントローラ１１に供給する。コントローラ１１は操作情報に対応した必要な演算処理や制御を行う。
なお、本体を用いた操作入力としては、例えば表示部１７においてメニュー形式等の画面表示を実行させ、所定の操作子を用いてメニュー項目の選択・決定の操作を行うことによっても可能である。例えばこのようなＧＵＩ（Graphical User Interface）入力のための操作子も、操作部１８に設けられる。ワイドズームモード操作などは、このＧＵＩ入力によるものとしてもよい。
【００３１】
クレードル接続部１９は、クレードル３にデジタルスチルカメラ１が載置された際に、クレードル３側のカメラ接続部３１との間で信号伝送を行う。
即ちクレードル接続部１９とカメラ接続部３１には、デジタルスチルカメラ１がクレードル３に載置された際に、各種信号端子を電気的に接続する端子構造を備える。
後述するように、ハイビジョンパネル機器２に対して画像信号を供給する場合は、信号処理部１５等の処理で形成された出力用の画像信号（アスペクト比１６：９のハイビジョン画像信号）が、クレードル接続部１９からクレードル３側に出力される。
クレードル３には、ＨＤＴＶ出力部３３として、ハイビジョン信号出力用回路が設けられており、このＨＤＴＶ出力部３３の出力端子と、ハイビジョンパネル機器２側の入力端子との間にケーブル５が接続される。
このため、デジタルスチルカメラ１で生成されたハイビジョン画像信号は、クレードル接続部１９、カメラ接続部３１、ＨＤＴＶ出力部３３を介して、ケーブル５によりハイビジョンパネル機器２に供給されることになる。
【００３２】
また上記したようにクレードル３には赤外線受光部３２が設けられているが、この赤外線受光部３２は、リモートコントローラ４から送信されてきた操作コマンド信号を復調し、カメラ接続部３１とクレードル接続部１９に設けられた信号線により、デジタルスチルカメラ１側（コントローラ１１）に供給する。これによってコントローラ１１に、リモートコントローラ４による操作情報が入力される。
【００３３】
なお、本例ではクレードル３を用いて、デジタルスチルカメラ１から出力されるハイビジョン画像信号がハイビジョンパネル機器２に供給される例において説明を行うが、もちろんクレードル３を使用しないで、デジタルスチルカメラ１からのハイビジョン画像信号出力がハイビジョンパネル機器２に供給されるようにしてもよい。
例えばデジタルスチルカメラ１に、ＨＤＴＶ出力部３３と同様の例えばＨＤＭＩ方式の画像出力回路を設け、その出力端子とハイビジョンパネル機器２の画像信号入力端子の間を所定のケーブルで接続して、デジタルスチルカメラ１からの画像信号出力をハイビジョンパネル機器２に供給するようにしてもよい。
【００３４】
以上、デジタルスチルカメラ１及びクレードル３の構成を示したが、これは一例にすぎない。実際に実施される動作例や機能に応じて各種の構成要素の追加や削除は当然考えられる。
【００３５】
［２．画像出力のための構成及び動作］
本実施の形態のデジタルスチルカメラ１は、例えばメモリカード６に保存された画像データの出力動作として、ハイビジョンパネル機器２で表示させる際の動作に特徴を有する。
特に本例の場合、出力対象とする元の画像データから、ハイビジョンパネル機器２に出力する信号（説明上「ハイビジョン画像信号」という）を生成する。またデジタルスチルカメラ１の本体に設けられている表示部１７で表示させる信号としての画像信号（説明上「本体パネル表示用画像信号」という）を生成する。
以下、このような画像出力動作について説明する。
まず、画像出力動作の実行時の動作のための構成を図３に示す。この図３は、画像出力時の処理の流れに沿って、上記図２の各部の処理機能をブロック化して示したものである。
【００３６】
図３に示す各部について説明する。なお、実線で示しているブロックはハードウエアとしての構成部位、破線で示しているブロックはソフトウエアとしての構成部位を示している。ソフトウエアとしての構成各部は、コントローラ１１におけるＣＰＵがプログラムに基づく演算処理を行うことで実現される機能部位である。
【００３７】
メモリカード６は、上述のように、デジタルスチルカメラ１に装填される記録媒体であるが、以下の説明では、このメモリカード６にＥＸＩＦ方式の画像ファイルとして保存されている画像データを画像出力動作における元画像データとする。
このメモリカード６に保存された画像ファイルの内容（ＪＰＥＧ方式で圧縮された画像データや、該画像データを含むＥＸＩＦ形式において付加されている付加データ）は、記録再生部１３によって読み出される。
【００３８】
メモリ部１２には、画像出力処理過程での一時保存のために、図示する各領域が用意される。
ＥＸＩＦデータ記憶領域４１は、メモリカード６から読み出したＥＸＩＦデータ（画像に付加された各種属性情報としての付加データ）を保存する領域である。
ＪＰＥＧデータ記憶領域４２は、メモリカード６から読み出したＪＰＥＧ方式の画像データを保存する領域である。
ＹＣデータ記憶領域４３は、ＪＰＥＧ方式の画像データとしての符号化データの復号結果（Ｙ／Ｃフォーマット）を保存する領域である。
第１ビデオバッファ４４は、ハイビジョン画像信号の生成用バッファー領域である。
第２ビデオバッファ４５は、本体パネル表示用画像信号の生成用バッファー領域である。
なお、これら各記憶領域は、必ずしもメモリ部１２内で固定的な領域とされる必要はない。
【００３９】
信号処理部１５においては、次の構成が設けられる。
ＪＰＥＧコーデック部５１は、ＪＰＥＧ符号化及び復号用の演算ブロックである。
レゾリューションコンバータ５２は、画角と解像率変換用の演算ブロックである。
第１ビデオエンコーダ５３は、Ｙ／Ｃフォーマット画像データから、ハイビジョンパネル機器２に出力するハイビジョン画像信号を生成するエンコード処理ブロックである。
第２ビデオエンコーダ５３は、Ｙ／Ｃフォーマット画像データから表示部１７で出力する本体パネル表示用画像信号を生成するエンコード処理ブロックである。
【００４０】
またソフトウエア構成として、ワイドズームコントロール部２１、ＥＸＩＦアナライザ２２、入力処理部２３が設けられる。
ワイドズームコントロール部２１は、ワイドズームモードに応じた画像変換制御用プログラム及び該プログラムに基づく演算処理機能を示している。
ＥＸＩＦアナライザ２２は、ＥＸＩＦ情報分析用プログラム及び該プログラムに基づく演算処理機能を示している。
入力処理部２３は、各種設定用プログラム及び該プログラムに基づく演算処理機能を示し、この場合は、特にユーザによるワイドズームモード操作の情報を、ワイドズームコントロール部２１に伝達する機能として示している。
【００４１】
なお、表示制御部１６，表示部１７は、図２で説明したとおりである。
またクレードル３についても図２と同様であるが、カメラ接続部３１（及びクレードル接続部１９）については図示を省略している。
【００４２】
ここまでの実施の形態の構成において本発明請求項の構成要件に相当する部分は以下のとおりである。
第１の画像データ出力処理部：第１ビデオバッファ４４及び第１ビデオエンコーダ５３
表示部：表示制御部１６及び表示部１７
第２の画像データ出力処理部：第２ビデオバッファ４５及び第２ビデオエンコーダ５４
画像変換処理部：ワイドズームコントロール部２１及びレゾリューションコンバータ５２
読出部：記録再生部１３
【００４３】
以下、図４のフローチャートを参照して、本例の画像出力動作を説明する。図４は、図３の各部の動作で実行される画像出力時の動作を示すフローチャートであり、コントローラ１１の制御に基づいて図２（図３）の各部が実行する動作である。
なお、図４の各ステップに対応する図３の動作部分をＳ１〜Ｓ９で示す。
【００４４】
まず図４のステップＦ１０１として。出力対象とする画像データのＥＸＩＦ情報を取得する。
この場合、コントローラ１１の制御に基づき、記録再生部１３においてメモリカード６からの読出動作が行われ、出力対象とした画像ファイルにおけるＥＸＩＦデータが読み出される。このＥＸＩＦデータはメモリ部１２のＥＸＩＦデータ記憶領域４１に読み込まれる（Ｓ１）。
【００４５】
続いてステップＦ１０２で、ＥＸＩＦデータに基づいて、出力対象とした画像ファイルが再生可能か否かを判断する。この場合、ＥＸＩＦアナライザ２２が、ＥＸＩＦデータ記憶領域４１に読み込まれているＥＸＩＦデータの内容を確認し、再生する画像の属性を検査し、再生可否、「ワイドズーム」変換可否を判断する（Ｓ２）。また元画像としてのアスペクト比や回転情報も、この時点で検出される。
この際、例えば対応できない形式のファイルであったり、デジタルスチルカメラ１の再生能力を超えたサイズの画像データであるなどで再生不能と判断した場合は、ステップＦ１１０に進み、再生出力不能としての警告処理を行う。例えばコントローラ１１は表示部１７やハイビジョンパネル機器２においてユーザに対して再生不能の警告表示等を実行させる。
【００４６】
再生可能であれば、ステップＦ１０２からＦ１０３に進み、コントローラ１１は記録再生部１３に指示して、当該画像ファイルにおける実際の画像データの読出を実行させる。記録再生部１３においてメモリカード６から読み出された画像データ（ＪＰＥＧ符号化の画像データ）はメモリ部１２のＪＰＥＧデータ記憶領域４２に読み込まれる（Ｓ３）。
【００４７】
続いてステップＦ１０４で画像データのＪＰＥＧ復号が行われる。コントローラ１１は、信号処理部１５に指示して、ＪＰＥＧコーディック部５１における復号処理を実行させる。この場合、ＪＰＥＧデータ記憶領域４２の画像データがＪＰＥＧコーディック部５１に送られ、ＪＰＥＧ画像データ中の符号化データが復号される（Ｓ４）。復号結果として得られたＹ／Ｃフォーマットの画像データは、メモリ部１２のＹＣデータ記憶領域４３に記憶される（Ｓ５）。
【００４８】
ステップＦ１０５では、ハイビジョン画像信号についての画像変換処理を行う。この場合、ＹＣデータ記憶領域４３に記憶されたＹ／Ｃフォーマットの元画像データについて、ワイドズームコントロール部２１による画像変換処理、及びレゾリューションコンバータ５２による処理が行われる（Ｓ６）。そしてハイビジョン画像として変換された状態のＹ／Ｃフォーマットの画像データが第１ビデオバッファ４４に記憶される。詳細は図５及び図６〜図９で後述する。
【００４９】
また続いてステップＦ１０６で、本体パネル表示用画像信号についての画像変換処理を行う。この場合、ＹＣデータ記憶領域４３に記憶されたＹ／Ｃフォーマットの元画像データについて、ワイドズームコントロール部２１による本体表示用としての画像変換処理が必要に応じて行われ、またレゾリューションコンバータ５２による処理が行われる（Ｓ７）。そして本体パネル表示用画像として変換された状態のＹ／Ｃフォーマットの画像データが第２ビデオバッファ４５に記憶される。これも詳細は図５及び図６〜図９を用いて後述する。
【００５０】
ステップＦ１０７では、第１ビデオバッファ４４、及び第２ビデオバッファ４５に記憶された画像データのエンコード及び出力が行われる。
まず第１ビデオバッファ４４に記憶されたハイビジョン画像に変換された画像データについては、第１ビデオエンコーダ５３において出力用のエンコード処理が施され（Ｓ８）、ハイビジョン画像信号として、クレードル３のＨＤＴＶ出力部３３からハイビジョンパネル機器２に出力されて表示される。
また第２ビデオバッファ４５に記憶された本体パネル表示用画像に変換された画像データについては、第２ビデオエンコーダ５３において出力用のエンコード処理が施され（Ｓ９）、本体パネル表示用画像信号として、表示制御部１６に供給され、表示部１７で表示出力される。
【００５１】
以上の処理動作により、例えばメモリカード６に保存されていた画像が、ハイビジョンパネル機器２と表示部１７の両方で表示出力されることになる。
ここで、上記ステップＦ１０５，Ｆ１０６の処理、即ち元の画像データからの画像変換処理により、ハイビジョン画像信号及び本体パネル表示用画像信号としての状態の画像信号を生成する処理について図５を参照して説明する。
【００５２】
図５におけるステップＦ１５１〜Ｆ１５５は図４のステップＦ１０５に、またステップＦ１６１〜Ｆ１６４は図４のステップＦ１０６の処理として、主にワイドズームコントロール部２１が実行する処理である。
まずステップＦ１５１で、ワイドズームコントロール部２１は、ワイドズームモードが「入」か否かを確認する。ワイドズームモード設定は、ユーザがリモートコントローラ４の操作又は本体の操作キー１８ａを用いたＧＵＩ操作等でモード操作を行うことに応じて「入」「切」が設定される。即ち、ユーザ操作に応じて入力処理部２３がワードズームモード設定を行うわけであるが、ステップＦ１５１では、ワイドズームコントロール部２１が現時点でワイドズームモードが「入」であるかを否かを確認する。
【００５３】
ワイドズームモードが「切」であった場合は、ワイドズームコントロール部２１による処理はステップＦ１５４に進んで、１６：９のハイビジョン画像信号の生成のため非ワイドズーム画像変換処理を行う。この場合、ＹＣデータ記憶領域４３から読み出した元画像データのアスペクト比と、ハイビジョン画像信号としてのアスペクト比１６：９との関係に応じて変倍処理や黒帯付加処理などを行う。
そしてステップＦ１５５に進み、これらの処理を施した画像データをハイビジョン画像信号として第１ビデオバッファ４４にバッファリングする。
【００５４】
一方、ワイドズームモードが「入」であった場合は、ワイドズームコントロール部２１による処理はステップＦ１５１からＦ１５２に進んで、まず、処理対象としている元画像データの回転角度が０度或いは１８０度であるか（つまり横長の画像であるか）否かを確認する。画像データの回転角度の情報は、図４のステップＦ１０１の処理によりＥＸＩＦアナライザ２２によって確認されている。もし回転角度が９０度又は２７０度であったら（つまり縦長の画像）、ワイドズームモードにかかわらず、ワイドズーム処理は行わないものとする。このためその場合はステップＦ１５４に進み、非ワイドズーム処理によりハイビジョン画像信号を生成する。
回転角度が９０度又１８０度であったら、ステップＦ１５３に進み、１６：９のハイビジョン画像信号の生成のためワイドズーム画像変換処理を行う。この場合、ＹＣデータ記憶領域４３から読み出した元画像データのアスペクト比と、ハイビジョン画像信号としてのアスペクト比１６：９との関係に応じて切出し処理や変倍処理などを行う。
そしてステップＦ１５５に進み、これらの処理を施した画像データをハイビジョン画像信号として第１ビデオバッファ４４にバッファリングする。
【００５５】
ここまでの処理によりハイビジョン画像信号としての画像変換処理を終えたことになり、続いてステップＦ１０６としてワイドズームコントロール部２１は、本体パネル表示用画像信号のための画像変換処理を行う。
まずステップＦ１６１では、ハイビジョン画像信号の画像変換処理の際に、画像の切出し処理を行ったか否かを確認する。
上記ステップＦ１５３でのワイドズーム画像変換において切出し処理を行ったのであれば、ステップＦ１６２に進み、切出し処理を行っていなければステップＦ１６３に進む。
ワイドズームコントロール部２１による処理は、ステップＦ１６３に進んだ場合（つまりハイビジョン画像信号については非ワイドズーム画像変換が行われていた場合）は、通常に４：３の本体パネル表示用画像信号を得るための画像変換処理を行う。この場合、ＹＣデータ記憶領域４３から読み出した元画像データのアスペクト比と、本体パネル表示用画像信号としてのアスペクト比４：３との関係に応じて変倍処理や必要に応じた黒帯付加処理などを行う。
そしてステップＦ１６４に進み、これらの処理を施した画像データを本体パネル表示用画像信号として第２ビデオバッファ４５にバッファリングする。
【００５６】
一方、ワイドズームコントロール部２１による処理は、ステップＦ１６２に進んだ場合（つまりハイビジョン画像信号についてはワイドズーム画像変換で切出し処理が行われていた場合）は、その切出し処理によってハイビジョン画像信号側で棄てられた画像部分を提示できる本体パネル表示用画像信号を得るための画像変換処理を行う。この場合、ＹＣデータ記憶領域４３から読み出した元画像データのアスペクト比と、本体パネル表示用画像信号としてのアスペクト比４：３との関係に応じて変倍処理や必要に応じた黒帯付加処理などを行うことに加え、ハーフトーン処理を行う。これは、ハイビジョン画像信号において切出し処理によって棄てられた画像部分をハーフトーン表示するように、画像の一部にハーフトーンエフェクトを与える処理である。
そしてステップＦ１６４に進み、これらの処理を施した画像データを本体パネル表示用画像信号として第２ビデオバッファ４５にバッファリングする。
【００５７】
以上の図４，図５の処理が行われることで、本実施の形態の場合、以下図６〜図９に例示するような画像表示出力が実行される。
なお、以下の説明において用いる「本体パネル幅」「本体パネル高さ」「ＨＤ幅」「ＨＤ高さ」「元画像幅」「元画像高さ」の意味は、次のとおりである。
本体パネル幅ＰＷ：デジタルスチルカメラ本体パネルの幅（Panel Width）
本体パネル高さＰＨ：デジタルスチルカメラ本体パネルの高さ（Panel Height）
ハイビジョン信号幅ＨＷ：ハイビジョン画像信号の幅（HDTV Width）
ハイビジョン信号高さＨＨ：ハイビジョン画像信号の高さ（HDTV Height）
元画像幅ＳＷ：元画像データの幅（Source Width）
元画像高さＳＨ：元画像データの高さ（Source Height）
【００５８】
まず図６は、元画像のアスペクト比が４：３の場合の画像変換処理を示している。
「ワイドズーム」が切の場合、図６（ａ）の元画像データから図６（ｂ）のハイビジョン画像信号を生成する。
この場合、元画像幅ＳＷをハイビジョン信号幅ＨＷの７５％、元画像高さＳＨをハイビジョン信号高さＨＨに変倍し、左右に幅がハイビジョン信号幅ＨＷの１２．５％、高さがハイビジョン信号高さＨＨの大きさの黒帯ＢＢを付けでハイビジョン画像信号を生成する。
これによってハイビジョンパネル機器２では、図６（ｃ）のような黒帯ＢＢ付きの画像表示が行われる。
【００５９】
「ワイドズーム」が入の場合、図６（ａ）の元画像データから図６（ｄ）のハイビジョン画像信号を生成する。
この場合、元画像の上下中央、元画像高さＳＨの７５％の部分を切出し、そして、切出された部分の幅をハイビジョン信号幅ＨＷに、高さをハイビジョン信号高さＨＨに変倍してハイビジョン出力信号を生成する。
これによってハイビジョンパネル機器２では、図６（ｅ）のようなワイドズームとしての画像表示が行われる。
【００６０】
本体パネル表示用画像信号については、図６（ｆ）に示すように、「ワイドズーム」が入、切に関わらず、元画像幅ＳＷを本体パネル幅ＰＷに、元画像高さＳＨを本体パネル高さＰＨに変倍する処理を行う。但し、「ワイドズーム」が入の場合は、上記図６（ｄ）の切出し処理によって棄てられた部分に相当する画面部分についてハーフトーン処理を行う。
従って、「ワイドズーム」が切の場合、表示部１７では図６（ｇ）のような表示が行われ、「ワイドズーム」が入の場合、表示部１７では図６（ｈ）のように、画面の上下の一部がハーフトーンＨＴとしての画像とされた表示が行われる。
【００６１】
図７は、元画像のアスペクト比が３：２の場合の画像変換処理を示している。
「ワイドズーム」が切の場合、図７（ａ）の元画像データから図７（ｂ）のハイビジョン画像信号を生成する。
この場合、元画像幅ＳＷをハイビジョン信号幅ＨＷの８４．３８％、元画像高さＳＨをハイビジョン信号高さＨＨに変倍し、左右に幅がハイビジョン信号幅ＨＷの７．８１％、高さがハイビジョン信号高さＨＨの大きさの黒帯ＢＢを付けでハイビジョン画像信号を生成する。
これによってハイビジョンパネル機器２では、図７（ｃ）のような黒帯ＢＢ付きの画像表示が行われる。
【００６２】
「ワイドズーム」が入の場合、図７（ａ）の元画像データから図７（ｄ）のハイビジョン画像信号を生成する。
この場合、元画像の上下中央、元画像高さＳＨの８４．３８％の部分を切出し、そして、切出された部分の幅をハイビジョン信号幅ＨＷに、高さをハイビジョン信号高さＨＨに変倍してハイビジョン出力信号を生成する。
これによってハイビジョンパネル機器２では、図７（ｅ）のようなワイドズームとしての画像表示が行われる。
【００６３】
本体パネル表示用画像信号については、図７（ｆ）に示すように、「ワイドズーム」が入、切に関わらず、元画像幅ＳＷを本体パネル幅ＰＷに、元画像高さＳＨを本体パネル高さＰＨの８８．８９％に変倍し、上下に幅が本体パネル幅ＰＷ、高さが本体パネル高さＰＨの５．５５％の大きさの黒帯ＢＢを付ける処理を行う。但し、「ワイドズーム」が入の場合は、上記図７（ｄ）の切出し処理によって棄てられた部分に相当する画面部分についてハーフトーン処理を行う。
従って、「ワイドズーム」が切の場合、表示部１７では図７（ｇ）のような黒帯ＢＢ付きの表示が行われ、「ワイドズーム」が入の場合、表示部１７では図７（ｈ）のように、画面の上下の一部が黒帯ＢＢ及びハーフトーンＨＴとしての画像とされた表示が行われる。
【００６４】
図８は、元画像のアスペクト比が１６：９の場合の画像変換処理を示している。
「ワイドズーム」が切の場合、図８（ａ）の元画像データから図８（ｂ）のハイビジョン画像信号を生成する。
この場合、元画像幅ＳＷをハイビジョン信号幅ＨＷに、元画像高さＳＨをハイビジョン信号高さＨＨに変倍してハイビジョン出力信号を生成する。
これによってハイビジョンパネル機器２では、図８（ｃ）のような画像表示が行われる。
【００６５】
「ワイドズーム」が入の場合、図８（ａ）の元画像データから図８（ｄ）のハイビジョン画像信号を生成する。
この場合、元画像幅ＳＷをハイビジョン信号幅ＨＷに、元画像高さＳＨをハイビジョン信号高さＨＨに変倍してハイビジョン出力信号を生成する。
これによってハイビジョンパネル機器２では、図８（ｅ）のような画像表示が行われる。この場合は、ワイドズームモードによる表示の変化は発生しない。
【００６６】
本体パネル表示用画像信号については、図８（ｆ）に示すように、「ワイドズーム」が入、切に関わらず、元画像幅ＳＷを本体パネル幅ＰＷに、元画像高さＳＨを本体パネル高さＰＨの７５％に変倍し、上下に幅が本体パネル幅ＰＷ、高さが本体パネル高さＰＨの１２．５％の大きさの黒帯ＢＢを付ける処理を行う。
この場合、「ワイドズーム」が入であっても、ハイビジョン画像信号の変換処理の際に切出し処理は行われていないため、ハーフトーン処理は行われない。
従って、「ワイドズーム」が切の場合、表示部１７では図８（ｇ）のような黒帯ＢＢ付きの表示が行われ、「ワイドズーム」が入の場合も、表示部１７では図８（ｈ）のように、同様に画面の上下の一部が黒帯ＢＢとされた表示が行われる。
【００６７】
図９は、元画像のアスペクト比が４：３より小さい場合（４：３、３：２、１６：９の９０度、２７０度回転画像など）の画像変換処理を示している。例として図９（ａ）の元画像のアスペクト比は３：４としている。
この場合「ワイドズーム」が入、切に関わらず、元画像幅ＳＷを（ＳＷ×ＨＨ／ＳＨ）に、元画像高さＳＨをハイビジョン信号高さＨＨに変倍し、左右に幅が（ＨＷ−（ＳＷ×ＨＨ／ＳＨ））／２、高さがハイビジョン信号高さＨＨの大きさの黒帯ＢＢを付けて図９（ｂ）のハイビジョン出力信号を生成する。
ハイビジョンパネル機器２では、図９（ｃ）のような左右に黒帯ＢＢが付加された画像表示が行われる。この場合もワイドズームモードによる表示の変化は発生しない。
【００６８】
また本体パネル表示用画像信号については、「ワイドズーム」が入、切に関わらず、元画像幅ＳＷを（ＳＷ×ＰＨ／ＳＨ）に、元画像高さＳＨを本体パネル高さＰＨに変倍し、左右に幅が（ＰＷ−（ＳＷ×ＰＨ／ＳＨ））／２、高さが本体パネル高さＰＨの大きさの黒帯を付けて、図９（ｄ）のような本体パネル表示用画像信号を生成する。
表示部１７では、「ワイドズーム」が入、切に関わらず、図９（ｅ）のような左右に黒帯ＢＢが付加された画像表示が行われる。
なお、アスペクト比が３：４の場合で図示したが、元画像がこれ以外の４：３より小さいアスペクト比の場合、画像の上下左右に適切な大きさの黒帯を付けることよりアスペクト比が４：３の画像を生成して、その結果得られる画像をアスペクト比が４：３の画像と見なして処理すればよい。
【００６９】
本実施の形態では、例えば以上のように、元画像のアスペクト比と、ワイドズームモードの「入」「切」に応じた画像表示動作が行われる。
ここで、ハイビジョンパネル機器２においては、ユーザの操作に応じて、非ワイドズーム表示やワイドズーム表示が行われる。一方、表示部１７では、常に元画像の画像内容を全て含む表示が行われることになる。
特にハイビジョンパネル機器２側でのワイドズーム表示の際に、元画像のうちで表示されていない部分（変換処理で棄てられた部分）については、表示部１７においてハーフトーン表示とされてユーザに認識される。
【００７０】
［３．操作に応じた画像出力］
ところで既に述べているように、ユーザはリモートコントローラ４を用いた操作によりワイドズームモードを切り換えることができる。
例えば上述のように画像表示を行っている際に、ワイドズームモードをオン／オフすることも可能である。その場合の処理について説明する。
図１０はコントローラ１１が、特に図３に示した入力処理部２３及びワイドズームコントロール部２１としてのプログラムに応じて実行する処理を示している。
【００７１】
ステップＦ２０１は、リモートコントローラ４を用いて、若しくはデジタルスチルカメラ１でのＧＵＩ操作により、ユーザがワイドズーム操作を行ったか否かを検知する処理を示している。
例えばユーザがリモートコントローラ４のワイドズームキー４ａを操作し、その操作コマンド情報が入力された場合、入力処理部２３は、ワイドズーム操作検知として、処理をステップＦ２０１からＦ２０２に進める。
まずこの場合、現在再生モードであるか否かを確認する。再生モードとは、上述の処理で画像の表示出力を行っている状態のことである。
入力処理部２３は、現在再生モードでなければ、ステップＦ２０３に進んで操作を無効とする。
【００７２】
再生モードであれば、処理をステップＦ２０４に進める。例えば入力処理部２３は、ワイドズームコントロール部２１にワイドズーム操作を伝え、ワイドズームコントロール部２１により以降の処理が行われる。
まずワイドズームコントロール部２１は、現在表示出力している画像の回転角度が０度或いは１８０度であるか否かを確認する。
上述のように、回転角度が９０度又は２７０度であって縦長の画像を出力しているのであれば、ワイドズームモードが「入」であってもワイドズーム処理は行わない。そのため回転角度が０度或いは１８０度でなければ、ステップＦ２０５でコーション処理を行う。例えば現在の画像ではワイドズームは実行できない旨のメッセージ表示を行う。メッセージ表示画像は、ハイビジョン画像信号に重畳させてもよいし、本体パネル表示用画像信号に重畳させても良い。
【００７３】
回転角度が０度或いは１８０度であれば、処理をステップＦ２０６に進め、現在、ワイドズームモードが「入」であるか「切」であるかを確認する。
そしてワイドズームモードが「入」であれば、ステップＦ２０７に進んでワイドズームモードを「切」に切り換える。
また現在ワイドズームモードが「切」であれば、ステップＦ２０８に進んでワイドズームモードを「入」に切り換える。
そしてステップＦ２０９で、切り換えたワイドズームモード設定を保存する。
その後、ステップＦ２１０で、ワイドズームモードの切換に応じて画像描画をやり直す。即ち、それまでワイドズームモード「切」の状態で画像出力を行っていたのであれば、ワイドズームモード「入」の状態での画像変換処理を行って、ハイビジョン画像信号及び本体パネル表示用画像信号を出力する。
また、それまでワイドズームモード「入」の状態で画像出力を行っていたのであれば、ワイドズームモード「切」の状態での画像変換処理を行って、ハイビジョン画像信号及び本体パネル表示用画像信号を出力する。
【００７４】
以上の処理により、ユーザがワイドズーム操作を行うことに応じて、ハイビジョンパネル機器２で表示されている静止画像が、ワイドズーム表示と、非ワイドズーム表示とで切り換えられることになる。また、いずれの場合にも、デジタルスチルカメラ１の本体の表示部１７では、元画像の内容の全てが表示される。
【００７５】
実際の表示状態の遷移の例を図１１に示す。
例えばユーザは、メモリカード６に保存した画像を、ハイビジョンパネル機器２により見ることができるが、その際、ワイドズーム操作（リモートコントローラ４のワイドズームキー４ａの押圧）によって、ワイドズームモードを切り換えたり、送り操作（リモートコントローラ４の送りキー４ｂの押圧）によって、順次画像を見ていくことができる。
【００７６】
図１１においては、左側にデジタルスチルカメラ１の表示部１７での表示状態を、右側にハイビジョンパネル機器２での表示状態を示している。
まず、ある時点に、図１１（ａ）（ｂ）のように元画像Ｇ１についての表示を、表示部１７とハイビジョンパネル機器２のそれぞれにおいて行っているとする。元画像Ｇ１のアスペクト比は４：３であったとする。
このとき、ワイドズームモードは「切」とされているとすると、ハイビジョンパネル機器２側では図１（ｂ）のように黒帯ＢＢが付加された表示となる。
【００７７】
ここで時点ｔ１で、ユーザがワイドズーム操作を行ったとする。
すると、上記図１０の処理により、ワイドズーム設定が「入」とされるとともに、元画像Ｇ１についての画像変換処理がやり直され、ワイドズーム状態のハイビジョン画像信号が出力されるため、図１１（ｄ）のようにハイビジョンパネル機器２での表示はワイドズーム状態となる。
また、このアスペクト比４：３の元画像Ｇ１をワイドズームモードでの画像変換処理を行う際には、図６（ｄ）で説明したように切出し処理が行われている。それに応じて本体パネル表示用画像信号の画像変換処理の際には、切出し処理で棄てられた部分についてハーフトーン処理が行われる。このため表示部１７での表示状態は図１１（ｃ）のようになる。
【００７８】
続いて時点ｔ２に、ユーザが送りキー４ｂによる画像送り操作、例えばメモリカード６に保存されている次の画像ファイルの画像の出力を指示する操作を行ったとする。
この場合、次の画像Ｇ２を出力対象として、図４，図５の処理が行われることになる。ここで、今回の元画像Ｇ２はアスペクト比が３：４（＝４：３画像の９０度回転画像となる縦型の画像）であったとする。
この時点では、ワイドズームモードは「入」であるが、９０度回転画像であることからハイビジョン画像信号についてのワイドズーム処理は行われない。つまり図９の画像変換処理が行われ、結果として表示部１７及びハイビジョンパネル機器２において図１１（ｅ）（ｆ）に示すような表示が実行される。
【００７９】
時点ｔ３では、ユーザが再び送りキー４ｂによる画像送り操作を行ったとする。
この場合、次の画像Ｇ３を出力対象として、図４，図５の処理が行われることになる。今回の元画像Ｇ３はアスペクト比が４：３であったとする。
この時点でワイドズームモードは「入」であるため、ハイビジョン画像信号についてはワイドズーム変換処理が行われる。つまり図６（ｄ）の切出し処理を伴う画像変換処理が行われる。また、それに応じて本体パネル表示用画像信号の画像変換処理の際には、切出し処理で棄てられた部分についてハーフトーン処理が行われる。結果として表示部１７及びハイビジョンパネル機器２において図１１（ｇ）（ｈ）に示すような表示が実行される。
【００８０】
時点ｔ４において、ユーザがワイドズーム操作を行ったとする。
すると、上記図１０の処理により、ワイドズーム設定が「切」とされるとともに、元画像Ｇ３についての画像変換処理がやり直され、非ワイドズーム状態のハイビジョン画像信号が出力されるため、図１１（ｊ）のようにハイビジョンパネル機器２での表示は黒帯ＢＢ付きの画像表示状態となる。またこのハイビジョン画像信号では切出し処理が行われていないため、表示部１７では図１１（ｉ）のようにハーフトーン表示のない通常の表示状態となる。
【００８１】
このような表示動作により、ユーザにとって適切な表示変更を実現できる。
まず最初に図１１（ａ）（ｂ）の表示状態とされた際に、ユーザが黒帯ＢＢに違和感を感じたとすれば、時点ｔ１としてのワイドズーム操作により図１１（ｃ）（ｄ）とすればよい。
また時点ｔ２で画像送り操作を行った際に、次の画像が縦型の画像（９０度又は２７０度回転画像）であった場合についてはワイドズーム表示されない。もし縦型の画像に対してワイドズーム表示を行おうとすると、例えば切出し処理によって棄てられる画像範囲が極端に広くなったり、また切り出した部分の拡大率を上げなければならないことで画像が粗くなるなど、あまり良好な画像とならない。本例の場合、９０度又は２７０度回転画像の場合は、ワイドズームモードが「入」であっても、ワイドズーム表示は行われないため、ユーザにわざわざワイドズームモード操作を要求することなく好適な画像表示を行うことができる。
また時点ｔ３で画像送りを行うと、ワイドズームモードは「入」であるため、図１１（ｈ）のようにワイドズーム表示が行われる。この際、ユーザは図１１（ｇ）のように表示部１７での画像表示により、図１１（ｈ）のワイドズーム表示において表示されていない部分（切出し処理で棄てられた部分）の画像内容を同時に確認できる。
もし、その表示されていない部分もハイビジョンパネル機器２側で見たいのであれば、ワイドズーム操作によってワイドズームモードを「切」とし、図１１（ｊ）の表示を実行させればよい。
例えばこのように、各画像データのアスペクト比や回転角度と、ユーザの意向に応じて快適な画像再生表示を行うことができる。
【００８２】
［４．実施の形態の効果及び変形例］
本実施の形態によれば、画像データの表示出力の際に、ハイビジョンパネル機器２での表示を楽しみながら、デジタルスチルカメラ１本体の表示部１７側では、常に元画像データの画像内容全体を確認できるようになり、ユーザにとって好適な画像出力を実現できる。
また、特に本体の表示部１７側ではハーフトーン表示などで、ハイビジョンパネル機器２側で表示されない画像部分を提示することで、ユーザにとってハイビジョンパネル機器２での画像表示の状態がわかりやすいものとなる。もちろん元画像の全体がどのような画像であったかもユーザは容易に確認できる。
【００８３】
また、１６：９のハイビジョンパネル機器２の表示パネルに４：３や３：２のアスペクト比の画像を表示する場合、ユーザに違和感を与えることがないようにできる。
また本例の場合においてハイビジョン画像信号の生成の際には、生成された４：３信号から１６：９部分を切出のではなく、ハイビジョン信号解像率より大きい元画像をハイビジョン信号本来のサイズ（例えば1920×1080）に縮小して信号を生成するため、出力信号の画質がよいという利点もある。
また、縦画像（アスペクト比が４：３より小さい画像）を再生する際には、ワイドズーム機能を自動的に無効させることで、ユーザに違和感を与えないこととすることができる。
またリモートコントローラ４の遠隔操作によってワイドズーム機能の入／切を切り替えることが出来るため、デジタルスチルカメラ１やハイビジョンパネル機器２から離れた場所で表示画像を鑑賞する場合の操作性に好適である。
そして以上のことから、上記図１１でも述べた点と合わせて、ユーザに快適な画像鑑賞を提供できる。
【００８４】
なお本発明は実施の形態の構成及び動作に限定されず、各種の変形例が考えられる。
まず使用態様としてはクレードル３を用いず、デジタルスチルカメラ１を直接ハイビジョンパネル機器２等の表示装置に接続するようにしてもよい。
また、本体側の表示部１７において、ハイビジョンパネル機器２で表示されていない画面部分をハーフトーン表示することとしたが、切り出し処理によって棄てられた画像内容部分を提示するための表示態様としては、ハーフトーンに限られない。
例えばその部分を、ハーフトーンにするのではなく、色合いを変える、モノクロにする、その部分を枠で囲うなど、表示態様は非常に多様に考えられる。
また、必ずしも切り出し処理によって棄てられた画像内容部分が明らかとなる提示を行わなくてもよい。つまり画像内容の全てを通常に表示するのみでもよい。
【００８５】
また、図３の構成に基づく図４，図５の処理によって、ハイビジョンパネル機器２と表示部１７のそれぞれについて、独立した２系統の出力画像信号を生成する場合、これを利用してされらに図１２に示すような画像出力を行うこともできる。
例えば図１２（ａ）（ｂ）は、デジタルスチルカメラ１の画像加工機能を用いて画像加工を行う場合に、表示部１７では、元画像及び加工用のツールボタン、パラメータなどを表示させ、ハイビジョンパネル機器２側では、その加工処理による画像を表示させる場合を示している。
また、図１２（ｃ）（ｄ）は、デジタルスチルカメラ１のスライドショウ機能によってスライドショウ（自動的な順次画像再生）を行っている際に、ハイビジョンパネル機器２側では、スライドショウとしての画像を順次出力するが、表示部１７では、現在ハイビジョンパネル機器２で出力されている画像と、その前後の順番の画像を、サムネイル画像等で表示させている例である。
例えばこれらのように、２系統の画像出力処理を有効利用することも考えられる。
【００８６】
本発明の画像出力装置の例としてデジタルスチルカメラ１を挙げた、これに限らず、他の機器でも本発明を実現できる。例えばビデオプレーヤなどの画像再生装置、携帯電話機、ＰＤＡ（Personal Digital Assistant）、その他各種の機器を本発明の画像出力装置として適用できる。いずれの場合も、その機器の本体の表示部での表示出力と、外部機器での表示出力について、それらの画面のアスペクト比や元画像のアスペクト比などに応じた画像変換処理を行い、本体側では常に元画像の内容の全体が表示されるようにすればよい。
【図面の簡単な説明】
【００８７】
【図１】本発明の実施の形態のデジタルスチルカメラと関連機器の説明図である。
【図２】実施の形態のデジタルスチルカメラの構成のブロック図である。
【図３】実施の形態のデジタルスチルカメラの画像出力処理についての機能的なブロック図である。
【図４】実施の形態の画像再生処理のフローチャートである。
【図５】実施の形態の画像変換処理のフローチャートである。
【図６】実施の形態の元画像がアスペクト比４：３の場合の表示動作の説明図である。
【図７】実施の形態の元画像がアスペクト比３：２の場合の表示動作の説明図である。
【図８】実施の形態の元画像がアスペクト比１６：９の場合の表示動作の説明図である。
【図９】実施の形態の元画像がアスペクト比３：４の場合の表示動作の説明図である。
【図１０】実施の形態のワイドズーム操作に応じた処理のフローチャートである。
【図１１】実施の形態の表示動作の遷移の説明図である。
【図１２】実施の形態の変形例の説明図である。
【図１３】アスペクト比の異なる画像の出力方式例の説明図である。
【図１４】アスペクト比の異なる画像の出力方式例の説明図である。
【符号の説明】
【００８８】
１  デジタルスチルカメラ、２  ハイビジョンパネル機器、３  クレードル、４  リモートコントローラ、５  ケーブル、６  メモリカード、１１  コントローラ、１２  メモリ部、１３  記録再生部、１５  信号処理部、１６  表示制御部、１７  表示部、２１  ワイドズームコントロール部、２２  ＥＸＩＦアナライザ、２３  入力処理部、３３  ＨＤＴＶ出力部、３２  赤外線受光部、４４  第１ビデオバッファ、４５  第２ビデオバッファ、５２  レゾリューションコンバータ、５３  第１ビデオエンコーダ、５４  第２ビデオエンコーダ
【図１】
0005320751.tif 000002
【図２】
0005320751.tif 000003
【図３】
0005320751.tif 000004
【図４】
0005320751.tif 000005
【図５】
0005320751.tif 000006
【図６】
0005320751.tif 000007
【図７】
0005320751.tif 000008
【図８】
0005320751.tif 000009
【図９】
0005320751.tif 000010
【図１０】
0005320751.tif 000011
【図１１】
0005320751.tif 000012
【図１２】
0005320751.tif 000013
【図１３】
0005320751.tif 000014
【図１４】
0005320751.tif 000015